(57)【要約】      （修正有）【課題】先端固着部をコイル体の先端に容易に固着することができ、かつ、先端固着部がコイル体の先端から抜けにくいガイドワイヤを提供する。【解決手段】ガイドワイヤにおいて、コイル体２０の先端に、固定部７０と隙間部６０との両方を設けられているため、コイル体を構成する複数の素線３０が解れる恐れを低減することができ、かつ、先端固着部に流れやすい（濡れ性の良い）ロウ材や金属はんだを用いた場合であっても、先端固着部が複数の素線の表面に沿って後端側に流れ込んでしまう恐れを低減することができる。また、先端固着部が隙間部に入り込んでいるため、先端固着部の引張強度を強くすることができ、コイル体の先端に外力が加わった場合でも、先端固着部がコイル体の先端から抜けてしまう恐れを低減することができる。【選択図】図２
2016064100.tif 000002
【特許請求の範囲】
【請求項１】
コアシャフトと、
前記コアシャフトの先端部を被覆し、複数の素線が螺旋状に巻回されたコイル体と、
前記コアシャフトの先端と前記コイル体の先端とを固着した先端固着部と、を備え、
前記コイル体の前記先端は、横断面視において、前記複数の素線が互いに固定された固定部と、前記複数の素線が互いに固定されず前記複数の素線間に隙間を有した隙間部と、を有しており、
前記先端固着部は、前記隙間部に入り込んでいることを特徴としたガイドワイヤ。
【請求項２】
前記コイル体は、前記複数の素線を撚り合わせた撚線が螺旋状に複数本巻回して形成されており、
前記コイル体の前記先端は、横断面視において、前記複数の撚線が前記固定部により互いに固定されており、前記隙間部は前記複数の撚線のうち少なくとも一つの撚線の内部に形成されていることを特徴とした請求項１に記載のガイドワイヤ。
【請求項３】
前記コイル体の先端部は、ある方向に湾曲しており、
前記固定部は、前記コイル体の前記湾曲方向と反対方向にあり、
前記隙間部は、前記コイル体の前記湾曲方向と同じ方向にあることを特徴とした請求項１又は請求項２に記載のガイドワイヤ。
【発明の詳細な説明】
【技術分野】
【０００１】
本発明は、治療や検査を目的として血管や消化器官に挿入されるガイドワイヤに関するものである。
【背景技術】
【０００２】
血管、胆管、膵管等に狭窄部又は閉塞部が形成されると、血液、胆汁（胆液）、膵液等の流れが悪くなってしまう。従来、ガイドワイヤを狭窄部又は閉塞部に挿入し、その後、ガイドワイヤに追従させたバルーンカテーテルで狭窄部又は閉塞部を拡張することで、血液、胆汁（胆液）、膵液等の流れを良くする治療が広く行われている。
【０００３】
バルーンカテーテルを狭窄部又は閉塞部まで案内させるガイドワイヤとして、様々なものが提案されている。例えば、下記に示した特許文献１には、コアシャフトと、コアシャフトの先端部を被覆し、１本の素線が巻回されたコイル体と、コアシャフトの先端とコイル体の先端とを固着した先端固着部と、を備えたガイドワイヤが開示され、特許文献２には、コアシャフトと、コアシャフトの先端部を被覆し、複数の素線が螺旋状に巻回されたコイル体と、コアシャフトの先端とコイル体の先端とを固着した先端固着部と、を備えたガイドワイヤが開示されている。
【０００４】
しかし、このようなガイドワイヤでは、コイル体の先端において、コイル体を構成する複数の素線が互いに溶接されていない。そのため、コアシャフトの先端とコイル体の先端とを先端固着部で固着させる際に、先端固着部が複数の素線の全ての表面に沿って後端側に流れ込んでしまい、先端固着部の長さを制御することが困難であるという問題や、コイル体を構成する複数の素線が解れてしまい、先端固着部をコイル体の先端に固着することが困難であるという問題があった。
【０００５】
また、ガイドワイヤではないが、複数の素線を螺旋状に巻回したコイル体の端部と第一素線と第二素線とを網目状に編んだ編組体の端部とを溶接により連結されたカテーテルが知られている（例えば、下記特許文献３を参照）。特許文献３に示したカテーテルでは、コイル体と編組体との連結性を向上させるため、コイル体を構成する複数の素線を互いに溶融させて素線同士を固定している。
【０００６】
上記のガイドワイヤに特許文献３に開示されたコイル体を適用すると、先端固着部が複数の素線に沿って後端側に流れ込むことを防止でき、かつ、先端固着部をコイル体の先端に固着することも容易となるが、逆に、先端固着部はコイル体の先端の端面のみに固着する（言い換えると、先端固着部が複数の素線に沿って後端側に全く流れ込まない）ため、先端固着部の引張強度が弱くなり、先端固着部がコイル体の先端から抜けてしまうという恐れがあった。
【先行技術文献】
【特許文献】
【０００７】
【特許文献１】特許第４３５４５２３号
【特許文献２】特開２００８−１５５０５２号公報
【特許文献３】特開２０１２−１９２１７７号公報
【発明の概要】
【発明が解決しようとする課題】
【０００８】
本発明は、このような事情に鑑みてなされたものであり、コイル体の先端に固定部と隙間部との両方を設け、かつ、先端固着部を隙間部に入り込ませることで、先端固着部をコイル体の先端に容易に固着することができ、かつ、先端固着部がコイル体の先端から抜けにくいガイドワイヤを提供することを課題とする。
【課題を解決するための手段】
【０００９】
上記課題は、以下に列挙される手段により解決される。
【００１０】
本発明の態様１は、コアシャフトと、前記コアシャフトの先端部を被覆し、複数の素線が螺旋状に巻回されたコイル体と、前記コアシャフトの先端と前記コイル体の先端とを固着した先端固着部と、を備え、前記コイル体の前記先端は、横断面視において、前記複数の素線が互いに固定された固定部と、前記複数の素線が互いに固定されず前記複数の素線間に隙間を有した隙間部と、を有しており、前記先端固着部は、前記隙間部に入り込んでいることを特徴としたガイドワイヤ。
【００１１】
本発明の態様２は、前記コイル体は、前記複数の素線を撚り合わせた撚線が螺旋状に複数本巻回して形成されており、前記コイル体の前記先端は、横断面視において、前記複数の撚線が前記固定部により互いに固定されており、前記隙間部は前記複数の撚線のうち少なくとも一つの撚線の内部に形成されていることを特徴とした態様１に記載のガイドワイヤ。
【００１２】
本発明の態様３は、前記コイル体の先端部は、ある方向に湾曲しており、前記固定部は、前記コイル体の前記湾曲方向と反対方向にあり、前記隙間部は、前記コイル体の前記湾曲方向と同じ方向にあることを特徴とした態様１又は態様２に記載のガイドワイヤ。
【発明の効果】
【００１３】
本発明の態様１のガイドワイヤでは、コイル体の先端に、横断面視において、複数の素線が互いに固定された固定部と、複数の素線が互いに固定されず複数の素線間に隙間を有した隙間部と、が設けられており、先端固着部が隙間部に入り込んでいる。コイル体の先端に固定部と隙間部との両方を設けられているため、コイル体を構成する複数の素線が解れる恐れを低減することができ、かつ、先端固着部に流れやすい（濡れ性の良い）ロウ材や金属はんだを用いた場合であっても、先端固着部が複数の素線の全ての表面に沿って後端側に流れ込んでしまう恐れを低減することができる。また、先端固着部が隙間部に入り込んでいるため、先端固着部の引張強度を強くすることができ、コイル体の先端に外力が加わった場合でも、先端固着部がコイル体の先端から抜けてしまう恐れを低減することができる。
【００１４】
本発明の態様２のガイドワイヤでは、コイル体が、複数の素線を撚り合わせた撚線が螺旋状に複数本巻回して形成されており、複数の撚線は固定部により互いに固定され、隙間部が複数の撚線のうち少なくとも一つの撚線の内部に形成されている。コイル体を複数の撚線で形成しているため、自由度があって柔軟性が高い一方、単線又は複数の素線を螺旋状に巻回したコイル体に比べて、コイル体を構成する複数の撚線が解れやすい。しかし、態様２のガイドワイヤでは、撚線が固定部で互いに固定されているため、コイル体を複数の撚線で形成した場合でもコイル体の先端が解れにくく、かつ、先端固着部が撚線の内部に形成された隙間部に入り込んでいるため、手技者がガイドワイヤを狭窄部又は閉塞部に押し込んだとき、コイル体の先端が狭窄部又は閉塞部に強く擦れた場合でも、先端固着部がコイル体から剥がれてしまう恐れを低減することができる。その結果、先端固着部がコイル体の先端から抜けてしまう恐れを更に低減することができる。
【００１５】
本発明の態様３のガイドワイヤでは、コイル体の先端部がある方向に湾曲しており、固定部はコイル体の湾曲方向と反対方向にある一方、隙間部はコイル体の湾曲方向と同じ方向にある。そのため、先端固着部は、コイル体の湾曲方向と同じ方向に形成された隙間部に入り込みやすい一方、コイル体の湾曲方向とは反対方向に形成された固定部に入り込みにくい構成になっている。これにより、ガイドワイヤを血管や消化器官に挿入するときに、血管壁や消化器官壁と接触しやすいコイル体の湾曲方向と反対方向（言い換えると、コイル体の外周側）には、先端固着部が後端側に流れ込んでいない一方、血管壁や消化器官壁と接触しにくいコイル体の湾曲方向と同じ方向（言い換えると、コイル体の内周側）には、先端固着部が後端側に流れ込んでいる。その結果、先端固着部が外周側よりも内周側に優先的に入り込んでいるため、ガイドワイヤを血管や消化器官に挿入したときに、コイル体の外周側で血管壁や消化器官壁を傷つける恐れを低減することができる。
【図面の簡単な説明】
【００１６】
【図１】図１は、本実施の形態のガイドワイヤの全体を示した図である。
【図２】図２は、図１のＡ−Ａ横断面を示した図である。
【図３】図３は、図１に示したガイドワイヤのうち、コイル体のみの斜視図を示した図である。
【図４】図４は、第二の実施の形態のガイドワイヤの全体を示した図である。
【図５】図５は、図４のＢ−Ｂ横断面を示した図である。
【図６】図６は、図４に示したガイドワイヤのうち、コイル体のみの斜視図を示した図である。
【図７】図７は、図５の変形例を示した図である。
【図８】図８は、第三の実施の形態のガイドワイヤの全体を示した図である。
【図９】図９は、図８のＣ−Ｃ横断面を示した図である。
【図１０】図１０は、第四の実施の形態のガイドワイヤの全体を示した図である。
【図１１】図１１は、図１０のＤ−Ｄ横断面視を示した図である。
【発明を実施するための形態】
【００１７】
まず、図１〜図３を参照しつつ、本実施の形態のガイドワイヤ１を説明する。なお、図１及び図３において、左側が体内に挿入される先端側（遠位側）、右側が医師等の手技者によって操作される後端側（近位側、基端側）である。なお、図２は、図１のＡ−Ａ横断面を示した図である。
【００１８】
まず、図１に示したように、ガイドワイヤ１は、コアシャフト１０と、コアシャフト１０の先端部を被覆し、複数の素線３０が螺旋状に巻回されたコイル体２０と、コアシャフト１０の先端とコイル体２０の先端とを固着した先端固着部４０と、を備えている。コイル体２０の後端は、後端固着部５０でコアシャフト１０に固着されている。
【００１９】
図２に示したように、コイル体２０は、８本の素線３０で形成されている。コイル体２０は、例えば、芯金上に８本の素線３０が互いに接触するように密に撚り合わせ、その後、公知の熱処理方法にて残留応力を除去して、芯金を抜き取ることで形成することができる。なお、コイル体２０を構成する素線３０の本数は、複数本であれば良く、８本に限定されるものではない。
【００２０】
コイル体２０の先端には、横断面視において、複数の素線３０が互いに固定された固定部７０と、複数の素線３０が互いに固定されず複数の素線３０間に隙間を有した隙間部６０と、が設けられている（図２を参照）。本実施の形態では、複数の素線３０をレーザや放電加工により溶融させて固定部７０を形成しているが、これに限定されず、複数の素線３０間の隙間に別の材料を固着させることで固定部７０を形成しても良い。
【００２１】
図３は、コイル体２０のみの斜視図である。本実施の形態のガイドワイヤ１は、固定部７０と隙間部６０とを両方を有したコイル体２０の先端に先端固着部４０を固着させて形成しているため、先端固着部４０は、隙間部６０では複数の素線３０の表面に沿って後端側に流れ込む一方、固定部７０では複数の素線３０間に隙間がないため、後端側にほとんど流れ込まない。そのため、図３に示したように、先端固着部４０が隙間部６０のみに入り込んでいる。
【００２２】
このように、本実施の形態のガイドワイヤ１には、コイル体２０の先端に固定部７０と隙間部６０との両方が設けられている。そのため、固定部７０により、コイル体２０を構成する複数の素線３０が解れる恐れを低減することができ、かつ、先端固着部４０に流れやすい（濡れ性の良い）ロウ材や金属はんだを用いた場合であっても、先端固着部４０が全ての複数の素線３０の表面に沿って後端側に流れ込んでしまう恐れを低減することができる。また、先端固着部４０が隙間部６０に入り込んでいるため、先端固着部４０の引張強度を強くすることができ、コイル体２０の先端に外力が加わった場合でも、先端固着部４０がコイル体２０の先端から抜けてしまう恐れを低減することができる。
【００２３】
なお、本実施の形態では、図２に示したように、コイル体２０の先端に、２個の隙間部６０と６個の固定部７０とを設けたが、これに限定されない。例えば、コイル体２０の先端に、３個の隙間部６０と５個の固定部７０とを設けても良い。また、コイル体２０の先端に、隙間部６０と固定部７０との同じ個数設けても良いし、隙間部６０を固定部７０の個数よりも多く設けても良い。
【００２４】
次に、本実施の形態のガイドワイヤ１を構成する各要素の材料について、説明するが、特に限定されるものではない。
【００２５】
コアシャフト１０は、ステンレス鋼（ＳＵＳ３０４、ＳＵＳ３１６等）やＮｉ−Ｔｉ合金等の超弾性合金により形成することができる。
【００２６】
コイル体２０は、放射線不透過性を有する複数の素線３０により形成することができる。例えば、金、白金、タングステン、これらの元素からなる合金などが挙げられる。コイル体２０を放射線不透過性の素線３０で形成することで、手技者は放射線透視画像下でコイル体２０の位置を把握することができる。
【００２７】
先端固着部４０及び後端固着部５０は、ロウ材（アルミニウム合金ロウ、銀ロウ、金ロウ等）や金属ハンダ（Ａｕ−Ｓｎ合金、Ａｇ−Ｓｎ合金等）で形成することができる。
【００２８】
次に、図４〜図７を参照しながら、第二の実施の形態のガイドワイヤ１ａについて、説明する。なお、図４及び図６は、図１及び図３と同様に、左側が体内に挿入される先端側（遠位側）を、右側が医師等の手技者によって操作される後端側（近位側、基端側）を、表している。なお、図５は、図４のＢ−Ｂ横断面を示した図である。
【００２９】
図１〜図３に示したガイドワイヤ１との相違点のみを説明すると、図４及び図５に示したように、ガイドワイヤ１ａでは、コイル体２０ａが、７本の素線３０を撚り合わせた撚線３２が、螺旋状に８本巻回して形成されている。コイル体２０ａの先端には、横断面視において、７本の素線３０を撚り合わせた撚線３２が互いに固定された固定部７０ａと、７本の素線３０を撚り合わせた撚線３２が互いに固定されず撚線３２間に隙間を有した隙間部６０ａと、が設けられている。
【００３０】
なお、コイル体２０ａを構成する撚線３２の本数は、複数本であれば良く、８本に限定されるものではない。同様に、撚線３２を構成する素線３０の本数は、複数本であれば良く、７本に限定されるものではない。
【００３１】
図６は、コイル体２０ａのみの斜視図である。第二の実施の形態のガイドワイヤ１ａでは、固定部７０ａと隙間部６０ａとを両方を有したコイル体２０ａの先端に先端固着部４０を固着させて形成しているため、先端固着部４０は、隙間部６０ａでは複数の素線３０から構成された撚線３２の表面に沿って後端側に流れ込む一方、固定部７０ａでは複数の撚線３２間に隙間がないため、後端側にほとんど流れ込まない。そのため、図６に示したように、先端固着部４０が隙間部６０ａのみに入り込んでいる。
【００３２】
このように、第二の形態のガイドワイヤ１ａには、ガイドワイヤ１と同様に、コイル体２０ａの先端に固定部７０ａと隙間部６０ａとの両方が設けられている。そのため、固定部７０ａにより、コイル体２０ａを構成する複数の撚線３２が解れる恐れを低減することができ、かつ、先端固着部４０に流れやすい（濡れ性の良い）ロウ材や金属はんだを用いた場合であっても、先端固着部４０が全ての複数の撚線３２の表面に沿って後端側に流れ込んでしまう恐れを低減することができる。また、先端固着部４０が隙間部６０ａに入り込んでいるため、先端固着部４０の引張強度を強くすることができ、コイル体２０ａの先端に外力が加わった場合でも、先端固着部４０がコイル体２０ａの先端から抜けてしまう恐れを低減することができる。
【００３３】
また、図７は、図５の変形例を示した図である。図５では、コイル体２０ａの先端には、隣接する撚線３２の間に２個の隙間部６０ａが設けられていたが、図７では、コイル体２０ｂの先端には、一つの撚線３２ａの内部に６個の隙間部６０ｂが設けられている。より具体的に説明すると、図７では、コイル体２０ｂの先端には、横断面視において、７本の素線３０を撚り合わせた撚線３２ａが互いに固定された８個の固定部７０ｂと、８本の撚線３２ａの内部にそれぞれ６個の隙間部６０ｂと、が設けられている。
【００３４】
コイル体２０ｂは８本の撚線３２ａで形成されているため、自由度があって柔軟性が高い一方、ガイドワイヤ１のコイル体２０に比べて、コイル体２０ｂを構成する８本の撚線３２ａは解れやすい構成になっている。しかし、図７に示したように、８本の撚線３２ａの全てが８個の固定部７０ｂで互いに固定されているため、コイル体２０ｂを撚線３０ａで形成した場合でもコイル体２０ｂの先端が解れる恐れを低減することができ、かつ、先端固着部４０が撚線３２ａの内部に形成された隙間部６０ｂに入り込んでいる（言い換えると、先端固着部４０が撚線３２ａの表面に沿って後端側に流れ込んでいない）ため、手技者がガイドワイヤ１ａを狭窄部又は閉塞部に押し込んだとき、コイル体２０ｂの先端が狭窄部又は閉塞部に強く擦れた場合でも、隙間部６０ｂに入り込んだ先端固着部４０が、コイル体２０ｂから剥がれてしまう恐れを低減することができる。その結果、先端固着部４０がコイル体２０ｂの先端から抜けてしまう恐れを更に低減することができる。
【００３５】
なお、コイル体２０ｂを構成する撚線３２ａの本数は、複数本であれば良く、８本に限定されるものではない。同様に、撚線３２ａを構成する素線３０の本数は、複数本であれば良く、７本に限定されるものではない。
【００３６】
また、図７では、隙間部６０ｂが、８本の撚線３２ａの内部にそれぞれ設けられていたが、これに限定されない。例えば、後述するように、隙間部６０ｂが、３本の撚線３２ｂの内部には設けられている一方、残り５本の撚線３２ｃの内部に設けられていない構成にしても良い（図１１を参照）。また、図７では、一つの撚線３２ａの内部に６個の隙間部６０ｂが設けられていたが、これに限定されない。例えば、一つの撚線３２ａの内部に１個の隙間部６０ｂのみを設けるようにしても良い。
【００３７】
従って、コイル体２０ｂが、複数の素線３０を撚り合わせた撚線３２ａが螺旋状に複数本巻回して形成されていて、複数の撚線３２ａが固定部７０ｂにより互いに固定され、かつ、隙間部６０ｂが複数の撚線３２ａのうち少なくとも一つの撚線３２ａの内部のどこかに形成されていれば良い。
【００３８】
次に、図８及び図９を参照しながら、第三の実施の形態のガイドワイヤ１ｂについて、説明する。なお、図８は、図１と同様に、左側が体内に挿入される先端側（遠位側）を、右側が医師等の手技者によって操作される後端側（近位側、基端側）を、表している。なお、図９は、図８のＣ−Ｃ横断面を示した図である。
【００３９】
図１〜図３に示したガイドワイヤ１との相違点のみを説明すると、図８に示したように、ガイドワイヤ１ｂでは、コイル体２０ｃが、第一直線部３４と、第一直線部３４の先端側に位置し、かつ、Ｘ方向に湾曲した湾曲部３８と、湾曲部３８と先端固着部４０との間に位置する第二直線部３６と、を備えている。
【００４０】
図９に示したように、コイル体２０ｃの先端には、横断面視において、複数の素線３０が互いに固定された固定部７０ｃと、複数の素線３０が互いに固定されず複数の素線３０間に隙間を有した隙間部６０ｃと、が設けられている。このとき、固定部７０ｃは、コイル体２０ｃの湾曲部３８の湾曲方向（Ｘ方向）と反対方向に配置されており、隙間部６０ｃは、コイル体２０ｃの湾曲部３８の湾曲方向（Ｘ方向）と同じ方向に配置されている。
【００４１】
ガイドワイヤ１ｂでは、先端固着部４０が、コイル体２０ｃの湾曲部３８の湾曲方向（Ｘ方向）と同じ方向に形成された隙間部６０ｃに入り込みやすい。一方で、先端固着部４０は、コイル体２０ｃの湾曲部３８の湾曲方向（Ｘ方向）とは反対方向に形成された固定部７０ｃに入り込みにくい構成になっている。そのため、血管壁や消化器官壁と接触しやすい第二直線部３６の外周側３６ａでは、先端固着部４０が複数の素線３０の表面に沿って後端側に流れ込んでいない一方、血管壁や消化器官壁と接触しにくい第二直線部３６の内周側３６ｂでは、先端固着部４０が複数の素線３０の表面に沿って後端側に流れ込んでいる。このように、ガイドワイヤ１ｂでは、先端固着部４０が第二直線部３６の外周側３６ａよりも内周側３６ｂに優先的に入り込むため、コイル体２０ｃの第二直線部３６の外周側３６ａでは、先端固着部４０による硬直化しにくい構成にすることができる。その結果、ガイドワイヤ１ｂを血管や消化器官に挿入するときに、コイル体２０ｃの第二直線部３６の外周側３６ａが血管壁や消化器官壁を傷つける恐れを低減することができる。
【００４２】
なお、第三の実施の形態では、図９に示したように、コイル体２０ｃの先端に、２個の隙間部６０ｃと６個の固定部７０ｃとを設けたが、これに限定されない。例えば、コイル体２０ｃの先端に、３個の隙間部６０ｃと５個の固定部７０ｃとを設けても良い。また、コイル体２０ｃの先端に、隙間部６０ｃと固定部７０ｃとの同じ個数設けても良い。
【００４３】
次に、図１０及び図１１を参照しながら、第四の実施の形態のガイドワイヤ１ｃについて、説明する。なお、図１０は、図４と同様に、左側が体内に挿入される先端側（遠位側）を、右側が医師等の手技者によって操作される後端側（近位側、基端側）を、表している。なお、図１１は、図１０のＤ−Ｄ横断面を示した図である。
【００４４】
図４〜図７に示したガイドワイヤ１ａとの相違点のみを説明すると、図１０に示したように、ガイドワイヤ１ｃでは、コイル体２０ｄが、第一直線部１３４と、第一直線部１３４の先端側に位置し、かつ、Ｘ方向に湾曲した湾曲部１３８と、湾曲部１３８と先端固着部４０との間に位置する第二直線部１３６と、を備えている。
【００４５】
図１１に示したように、コイル体２０ｄは、７本の素線３０を撚り合わせた撚線３２ｂ、３２ｃが、螺旋状に８本巻回して形成されている。コイル体２０ｄの先端には、横断面視において、７本の素線３０を撚り合わせた撚線３２ｂ、３２ｃが互いに固定された８個の固定部７０ｄと、８本の撚線３２ｂ、３２ｃのうち３本の撚線３２ｂの内部にそれぞれ形成された６個の隙間部６０ｄと、が設けられている。一方で、８本の撚線３２ｂ、３２ｃのうち５本の撚線３２ｃの内部には隙間部６０ｄが設けられていない。
【００４６】
このとき、固定部７０ｄは、コイル体２０ｄの湾曲部１３８の湾曲方向（Ｘ方向）と反対方向に配置されており、隙間部６０ｄは、コイル体２０ｄの湾曲部１３８の湾曲方向（Ｘ方向）と同じ方向に配置されている。
【００４７】
ガイドワイヤ１ｃでは、先端固着部４０が、コイル体２０ｄの湾曲部１３８の湾曲方向（Ｘ方向）と同じ方向に形成された隙間部６０ｄに入り込みやすい。一方で、先端固着部４０は、コイル体２０ｄの湾曲部１３８の湾曲方向（Ｘ方向）とは反対方向に形成された固定部７０ｄに入り込みにくい構成になっている。そのため、血管壁や消化器官壁と接触しやすい第二直線部１３６の外周側１３６ａでは、先端固着部４０が複数の撚線３２ｃの内部に流れ込んでいない一方、血管壁や消化器官壁と接触しにくい第二直線部１３６の内周側１３６ｂでは、先端固着部４０が複数の素線３２ｂの内部に流れ込んでいる。このように、ガイドワイヤ１ｃでは、先端固着部４０が第二直線部１３６の外周側１３６ａよりも内周側１３６ｂに優先的に入り込むため、コイル体２０ｄの第二直線部１３６の外周側１３６ａでは、先端固着部４０による硬直化しにくい構成にすることができる。その結果、ガイドワイヤ１ｃを血管や消化器官に挿入するときに、コイル体２０ｄの第二直線部１３６の外周側１３６ａが血管壁や消化器官壁を傷つける恐れを低減することができる。
【００４８】
なお、第四の実施の形態では、図１１に示したように、コイル体２０ｄの先端に、隙間部６０ｄが、８本の撚線３２ｂ、３２ｃのうち、３本の撚線３２ｂの内部にそれぞれ設けられていたが、これに限定されない。例えば、隙間部６０ｄが、８本の撚線３２ｂ、３２ｃのうち、１本の撚線３２ｂの内部のみに設けられている一方、残り７本の撚線３２ｃの内部に設けられていない構成にしても良い。また、図１１では、３本の撚線３２ｂは、それぞれ内部に６個の隙間部６０ｄが設けられていたが、これに限定されない。例えば、隙間部６０ｄが、３本の撚線３２ｂの内部に１個ずつ設けられていても良い。そのため、隙間部６０ｄは、複数の撚線３２ｂ、３２ｃのうち、少なくとも一つの撚線３２ｂの内部のどこかに形成されていれば良い。
【００４９】
なお、コイル体２０ｄを構成する撚線３２ｂ、３２ｃの本数は、複数本であれば良く、８本に限定されるものではない。同様に、撚線３２ｂ、３２ｃを構成する素線３０の本数は、複数本であれば良く、７本に限定されるものではない。
【００５０】
また、上記で説明したガイドワイヤ１、１ａ、１ｂ、１ｃ、１ｄにおいて、先端固着部４０をコイル体２０、２０ａ、２０ｂ、２０ｃ、２０ｄの先端に固着する前に、コイル体２０、２０ａ、２０ｂ、２０ｃ、２０ｄの先端を研磨することで、固定部７０、７０ａ、７０ｂ、７０ｃ、７０ｄと先端固着部４０との接触面積を増やして先端固着部４０の引張強度を向上させても良い。これにより、コイル体２０、２０ａ、２０ｂ、２０ｃ、２０ｄの先端に外力が加わった場合でも、先端固着部４０がコイル体２０、２０ａ、２０ｂ、２０ｃ、２０ｄの先端から抜けてしまう恐れを更に低減することができる。
【００５１】
以上で述べたように、ガイドワイヤ１、１ａ、１ｂ、１ｃ、１ｄにおいて、コイル体２０、２０ａ、２０ｂ、２０ｃ、２０ｄの先端に、固定部７０、７０ａ、７０ｂ、７０ｃ、７０ｄと隙間部６０、６０ａ、６０ｂ、６０ｃ、６０ｄとの両方を設けられている。そのため、コイル体２０、２０ａ、２０ｂ、２０ｃ、２０ｄを構成する複数の素線３０又は撚線３２、３２ａ、３２ｂ、３２ｃが解れる恐れを低減することができ、かつ、先端固着部４０に流れやすい（濡れ性の良い）ロウ材や金属はんだを用いた場合であっても、先端固着部４０が複数の素線３０又は撚線３２、３２ａ、３２ｂ、３２ｃの表面又は内部に沿って後端側に流れ込んでしまう恐れを低減することができる。また、先端固着部４０が隙間部６０、６０ａ、６０ｂ、６０ｃ、６０ｄに入り込んでいるため、先端固着部４０の引張強度を強くすることができ、コイル体２０、２０ａ、２０ｂ、２０ｃ、２０ｄの先端に外力が加わった場合でも、先端固着部４０がコイル体２０、２０ａ、２０ｂ、２０ｃ、２０ｄの先端から抜けてしまう恐れを低減することができる。
【符号の説明】
【００５２】
１、１ａ、１ｂ、１ｃ                      ガイドワイヤ
１０                                      コアシャフト
２０、２０ａ、２０ｂ、２０ｃ、２０ｄ      先端コイル体
３０                                      素線
３２、３２ａ、３２ｂ、３２ｃ              撚線
３４、１３４                              第一直線部
３６、１３６                              第二直線部
３６ａ、１３６ａ                          外周側
３６ｂ、１３６ｂ                          内周側
３８、１３８                              湾曲部
４０                                      先端固着部
５０                                      後端固着部
６０、６０ａ、６０ｂ、６０ｃ、６０ｄ      隙間部
７０、７０ａ、７０ｂ、７０ｃ、７０ｄ      固定部
【図１】
2016064100.tif 000003
【図２】
2016064100.tif 000004
【図３】
2016064100.tif 000005
【図４】
2016064100.tif 000006
【図５】
2016064100.tif 000007
【図６】
2016064100.tif 000008
【図７】
2016064100.tif 000009
【図８】
2016064100.tif 000010
【図９】
2016064100.tif 000011
【図１０】
2016064100.tif 000012
【図１１】
2016064100.tif 000013